(57)【要約】【課題】多様なコネクタの配置形態に低コストで対応することが可能なコネクタの配置構造およびワイヤハーネスを提供する。【解決手段】電線１０の端末部に接続された複数のコネクタ２０を所定の位置に配置して保持するコネクタ２０の配置構造であって、前記複数のコネクタ２０のうち一のコネクタ２０Ｆの電線１０が所定の方向に延び、前記複数のコネクタ２０のうち他のコネクタ２０Ｓ，２０Ｔの電線１０が前記一のコネクタ２０Ｆの電線１０の所定の位置に巻き付けられることで前記他のコネクタ２０Ｓ，２０Ｔが所定の方向に向けられ、かつ前記他のコネクタ２０Ｓ，２０Ｔの電線１０の復元変形を制限する電線押さえ部品３０が前記他のコネクタ２０Ｓ，２０Ｔに取り付けられている。【選択図】図１
2016100933.tif 000002
【特許請求の範囲】
【請求項１】
電線の端末部に接続された複数のコネクタを所定の位置に配置して保持するコネクタの配置構造であって、
前記複数のコネクタのうち一のコネクタの電線が所定の方向に延び、
前記複数のコネクタのうち他のコネクタの電線が前記一のコネクタの電線の所定の位置に巻き付けられることで前記他のコネクタが所定の方向に向けられ、かつ前記他のコネクタの電線の復元変形を制限する電線押さえ部品が前記他のコネクタに取り付けられているコネクタの配置構造。
【請求項２】
前記一のコネクタが前記他のコネクタと同方向を向くように前記一のコネクタの電線が屈曲され、前記電線押さえ部品が前記一のコネクタに取り付けられて前記一のコネクタの電線の復元変形が制限されている請求項１に記載のコネクタの配置構造。
【請求項３】
前記電線が、前記コネクタの後面から相手側コネクタとの嵌合方向と略平行な方向に延出し、
前記電線押さえ部品が、前記コネクタの後面と対向配置される後面対向部を有している請求項１または請求項２に記載のコネクタの配置構造。
【請求項４】
請求項１ないし請求項３のいずれか一項に記載のコネクタの配置構造を有するワイヤハーネス。
【発明の詳細な説明】
【技術分野】
【０００１】
本発明は、コネクタの配置構造およびワイヤハーネスに関する。
【背景技術】
【０００２】
従来、車両等に取り付けられるワイヤハーネスにおいて、ワイヤハーネスに接続された複数のコネクタが電線の長さ分だけ自由に動くことができると、相手側コネクタと嵌合させる際にコネクタを探し出し、所定の位置まで持ってこなければならないため作業性が悪いという問題があった。
【０００３】
そこで、例えば下記特許文献１に記載のように、ベース体を用いて複数のコネクタを所定の位置に配置して保持する技術が知られている。すなわち、所定の分岐形状に切り出されたベース体に電線を載置し、ベース体に設けられた複数の固着部に各コネクタを固着することで、複数のコネクタを所定の向きで所定の位置に保持することができる。
【先行技術文献】
【特許文献】
【０００４】
【特許文献１】特開２００４−２７４９５２号公報
【発明の概要】
【発明が解決しようとする課題】
【０００５】
しかしながら、上記のような構成では、コネクタの配置形態毎に専用のベース体を切り出す必要があるため、多様なコネクタの配置形態に対応するにはコストがかかるという問題があった。
【０００６】
本発明は上記のような事情に基づいて完成されたものであって、多様なコネクタの配置形態に低コストで対応することが可能なコネクタの配置構造およびワイヤハーネスを提供することを目的とする。
【課題を解決するための手段】
【０００７】
本発明のコネクタの配置構造は、電線の端末部に接続された複数のコネクタを所定の位置に配置して保持するコネクタの配置構造であって、前記複数のコネクタのうち一のコネクタの電線が所定の方向に延び、前記複数のコネクタのうち他のコネクタの電線が前記一のコネクタの電線の所定の位置に巻き付けられることで前記他のコネクタが所定の方向に向けられ、かつ前記他のコネクタの電線の復元変形を制限する電線押さえ部品が前記他のコネクタに取り付けられているものである。
本発明のワイヤハーネスは、前記コネクタの配置構造を有するものである。
【発明の効果】
【０００８】
本発明によれば、他のコネクタの電線の巻き付け方、すなわち電線を巻き付ける位置や巻き付けたときの他のコネクタの向きを変えることでコネクタの配置形態を変えることができるから、多様なコネクタの配置形態に低コストで対応することができる。
【図面の簡単な説明】
【０００９】
【図１】本実施例におけるコネクタの配置構造を示す一部切欠き平断面図
【図２】コネクタの配置構造を示す側断面図であって、図１のＡ−Ａ位置における断面に相当する断面図
【図３】コネクタに電線押さえ部品を取り付ける前の状態を示す斜視図
【図４】コネクタに電線押さえ部品を取り付けた状態を示す斜視図
【発明を実施するための形態】
【００１０】
本発明の好ましい形態を以下に示す。
本発明のコネクタの配置構造は、前記一のコネクタが前記他のコネクタと同方向を向くように前記一のコネクタの電線が屈曲され、前記電線押さえ部品が前記一のコネクタに取り付けられて前記一のコネクタの電線の復元変形が制限されているものとしてもよい。このような構成によれば、一のコネクタと他のコネクタとを同方向に向けることができる。
【００１１】
また、本発明のコネクタの配置構造は、前記電線が、前記コネクタの後面から相手側コネクタとの嵌合方向と略平行な方向に延出し、前記電線押さえ部品が、前記コネクタの後面と対向配置される後面対向部を有しているものとしてもよい。このような構成によれば、相手側コネクタにコネクタを嵌合する際に後面対向部に指をあてることができるから、相手側コネクタとの嵌合作業を容易に行うことができる。
【００１２】
＜実施例＞
以下、本発明を具体化した一実施例について、図１〜図４を参照しつつ詳細に説明する。
本実施例におけるワイヤハーネスＷは、図示しない大型のコネクタから引き出された電線１０に接続された複数の小型のコネクタ（以下、単にコネクタ２０と称する）が、所定の配列形態に保持されたものである。大型のコネクタから引き出された電線１０の端末部にはそれぞれ図示しない端子金具が接続され、各端子金具は対応するコネクタ２０にそれぞれ収容されて保持されている。以下、各構成部材において、図１における左側（コネクタ２０の相手側コネクタとの嵌合面側）を前方、右側を後方とし、また図２における上側を上方、下側を下方として説明する。
【００１３】
コネクタ２０は、合成樹脂製のハウジング２１をそなえている。ハウジング２１は、前後方向に細長い角ブロック状をなし、内部には、後方から端子金具を挿入可能なキャビティ２２が設けられている。キャビティ２２は、幅方向（左右方向）に２つが並んで配置されている。各キャビティ２２に端子金具が挿入されると、２本の電線１０がハウジング２１の後面２３から後方（相手側コネクタとの嵌合方向と略平行な方向）に延出する。
【００１４】
ハウジング２１は、相手側コネクタのフード部の内側に嵌合可能とされ、ハウジング２１の前面側が相手側コネクタとの嵌合部２４とされている。ハウジング２１の上面には、相手側コネクタとの嵌合時に相手側コネクタと係止して嵌合状態に保持するロック部２５が突設されている。
【００１５】
ハウジング２１の後端部には、後述する電線押さえ部品３０が取り付けられる部品取付部２６が設けられている。
部品取付部２６は、ハウジング２１の後端部において外側へ張り出す張出部２７と、ハウジング２１の側面に凹み形成された凹部２８とを備えている。
【００１６】
張出部２７は、ハウジング２１の側面に対して略垂直をなし、ハウジング２１の全周にわたり連続して設けられ、その張り出し寸法は全周にわたり略一定とされている。
凹部２８は、張出部２７の前側に形成されている。凹部２８は、ハウジング２１の上面に形成され、張出部２７の前面に沿って幅方向（左右方向）に細長い略長方形状をなしている。
なお、複数のコネクタ２０は略同一形状とされている。
【００１７】
電線押さえ部品３０は合成樹脂製であって、側方から見ると略Ｕ字形状をなす簡易な構造とされている。電線押さえ部品３０は、上壁部３１、下壁部３２および後壁部３３を有して、左右方向および前方に開放されている。電線押さえ部品３０の内側（上壁部３１、下壁部３２および後壁部３３に囲まれる部分）には、電線１０が左右方向に挿通可能な挿通路３４が形成されている。後壁部３３は、電線押さえ部品３０がコネクタ２０に取り付けられると、図２に示すように、コネクタ２０の後面と略平行をなして対向配置される後面対向部を構成している。そして、上壁部３１および下壁部３２は、後壁部３３に対して略垂直をなしている。電線押さえ部品３０は、前後方向に若干長い形状をなし、また幅寸法（左右方向の寸法）は全体において略一定とされている。
【００１８】
電線押さえ部品３０の前端部には、図３および図４に示すように、コネクタ２０の部品取付部２６に係止する係止部３５が設けられている。係止部３５は、上壁部３１と下壁部３２とに設けられ、上壁部３１の前端に垂下された上側係止部３６と、下壁部３２の前端に立設された下側係止部３７とを備えている。上側係止部３６および下側係止部３７は、上壁部３１および下壁部３２の前端に沿って、その全幅に形成されている。
【００１９】
上側係止部３６には、部品取付部２６の凹部２８に嵌合する凸部（図示せず）が設けられている。凸部と凹部２８とはほぼ隙間なく嵌り合い、凸部が凹部２８に嵌合することで、電線押さえ部品３０はコネクタ２０に対して左右方向に位置決めされるとともに、前方への移動が制限される。また、上側係止部３６および下側係止部３７がともに張出部２７の前側に係止することで、電線押さえ部品３０の後方への移動（離脱）が制限される。これにより、電線押さえ部品３０はコネクタ２０に固定される。なお、電線押さえ部品３０がコネクタ２０に取り付けられた状態では、電線押さえ部品３０の上壁部３１が張出部２７の上端に、下壁部３２が張出部２７の下端に近接または当接した状態になる。
【００２０】
次に、複数のコネクタ２０を配置して保持する作業の一例を説明する。
まず、大型のコネクタから最も長く延出された２本の電線１０（以下、幹線１０Ｍと称する）を一方向に延ばした状態にする。
そして、幹線１０Ｍを、その端末部に接続されたコネクタ２０（以後、第１コネクタ２０Ｆと称する）の近傍において略直角に屈曲させる（図１参照）。これにより、第１コネクタ２０Ｆが幹線１０Ｍに対して横向きに配される。
【００２１】
次いで、第１コネクタ２０Ｆに電線押さえ部品３０を取り付ける。幹線１０Ｍの屈曲部が、電線押さえ部品３０の挿通路３４内に収まるようにして電線押さえ部品３０を取り付ける。これにより、幹線１０Ｍの屈曲部は直線状に復元変形することが制限され、第１コネクタ２０Ｆは幹線１０Ｍに対して略９０度横向きの姿勢で保持される。
【００２２】
次に、第１コネクタ２０Ｆの隣に他のコネクタ２０（以下、第２コネクタ２０Ｓと称する）を配置する。
まず、第２コネクタ２０Ｓの２本の電線１０を所定の位置で幹線１０Ｍに巻き付けて幹線１０Ｍの横側に引き出す。具体的には、第２コネクタ２０Ｓの電線１０を、幹線１０Ｍの上面側から下面側へ回して再び上面側に出し、幹線１０Ｍの横側に引き出す。電線１０の巻き付け位置は、第１コネクタ２０Ｆと第２コネクタ２０Ｓとの間に所定の間隔があく位置とし、第２コネクタ２０Ｓの向きは第１コネクタ２０Ｆの向きと略同一とする。
【００２３】
次いで、第２コネクタ２０Ｓに電線押さえ部品３０を取り付ける。第２コネクタ２０Ｓの電線１０の巻き付け部分が、電線押さえ部品３０の挿通路３４内に収まるようにする。これにより、第２コネクタ２０Ｓの電線１０は、電線押さえ部品３０の上壁部３１によって上方への復元変形が制限され、下壁部３２によって下方への復元変形が制限され、巻き付け状態に保持される。そして、第２コネクタ２０Ｓは、第１コネクタ２０Ｆから所定の間隔をあけた位置において幹線１０Ｍに対して略９０度横向きの姿勢で、第１コネクタ２０Ｆと略同一方向を向いて保持される。
【００２４】
次に、第２コネクタ２０Ｓの隣に他のコネクタ２０（以下、第３コネクタ２０Ｔと称する）を配置する。
第２コネクタ２０Ｓと同様、第３コネクタ２０Ｔの２本の電線１０を所定の位置で幹線１０Ｍに一巻きして幹線１０Ｍの横側に引き出す。この際、幹線１０Ｍに沿って延出している第２コネクタ２０Ｓの電線１０にも、第３コネクタ２０Ｔの電線１０が巻き付けられる。第３コネクタ２０Ｔの電線１０の巻き付け位置は、第２コネクタ２０Ｓとの間に、第１コネクタ２０Ｆと第２コネクタ２０Ｓとの間の間隔と同等の間隔があく位置とし、第３コネクタ２０Ｔの向きは、第１コネクタ２０Ｆおよび第２コネクタ２０Ｓの向きと略同一とする。
【００２５】
次いで、第２コネクタ２０Ｓと同様、第３コネクタ２０Ｔに電線押さえ部品３０を取り付けると、第３コネクタ２０Ｔの電線１０が巻き付け状態に保持され、第３コネクタ２０Ｔが、第２コネクタ２０Ｓから所定の間隔をあけた位置において幹線１０Ｍに対して略９０度横向きの姿勢で、第１コネクタ２０Ｆおよび第２コネクタ２０Ｓと略同一方向を向いて保持される。
【００２６】
同様の作業を他のコネクタ２０についても順に行い、複数のコネクタ２０を所定の位置に配置して保持させる。これにより、複数のコネクタ２０が、略均等な間隔をあけて相手側コネクタとの嵌合部２４を略同一方向に向けた姿勢で保持される。
【００２７】
次に、上記のように構成された実施例の作用および効果について説明する。
本実施例コネクタ２０の配置構造は、電線１０の端末部に接続された複数のコネクタ２０を所定の位置に配置して保持するものであり、第１コネクタ２０Ｆの電線１０が所定の方向に延び、第２コネクタ２０Ｓおよび第３コネクタ３０Ｔの電線１０が第１コネクタ２０Ｆの電線１０の所定の位置に巻き付けられることで、第２コネクタ２０Ｓおよび第３コネクタ３０Ｔが所定の方向に向けられ、かつ第２コネクタ２０Ｓおよび第３コネクタ３０Ｔの電線１０の復元変形を制限する電線押さえ部品３０が、第２コネクタ２０Ｓおよび第３コネクタ３０Ｔに取り付けられている。
【００２８】
この構成によれば、第２コネクタ２０Ｓおよび第３コネクタ３０Ｔの電線１０の巻き付け方、すなわち電線１０を巻き付ける位置や巻き付けたときの第２コネクタ２０Ｓおよび第３コネクタ３０Ｔの向きを変えることでコネクタ２０の配置形態を変えることができるから、多様なコネクタ２０の配置形態に低コストで対応することができる。また、コネクタ２０を配列しない場合には、コネクタ２０に電線押さえ部品３０を取り付けなければよいから、配列する場合と配列しない場合とでコネクタ２０を共用することができる。さらに、電線押さえ部品３０の大きさを変えるだけで、挿通路３４に通される電線１０の本数の増減に対応することができる。
【００２９】
また、第１コネクタ２０Ｆが第２コネクタ２０Ｓおよび第３コネクタ３０Ｔと同方向を向くように第１コネクタ２０Ｆの電線１０が屈曲され、電線押さえ部品３０が第１コネクタ２０Ｆに取り付けられて第１コネクタ２０Ｆの電線１０の復元変形が制限されている。この構成によれば、第１コネクタ２０Ｆを、第２コネクタ２０Ｓおよび第３コネクタ３０Ｔと同方向に向けることができる。
【００３０】
また、電線１０が、コネクタ２０の後面２３から相手側コネクタとの嵌合方向と略平行な方向に延出し、電線押さえ部品３０が、コネクタ２０の後面２３と対向配置される後壁部（後面対向部）３３を有している。この構成によれば、相手側コネクタにコネクタ２０を嵌合する際に後壁部３３に指をあてることができるから、相手側コネクタとの嵌合作業を容易に行うことができる。
【００３１】
＜他の実施例＞
本発明は上記記述及び図面によって説明した実施例に限定されるものではなく、例えば次のような実施例も本発明の技術的範囲に含まれる。
（１）上記実施例では、電線押さえ部品３０の後壁部３３がコネクタ２０の後面と略平行をなし、幹線１０Ｍが相手側コネクタとの嵌合方向に対して略直角方向に曲げられて保持されているが、これに限らず、例えば電線押さえ部品の後壁部がコネクタの後面に対して斜めに配され、幹線が相手側コネクタとの嵌合方向に対して斜め方向に保持されるものとしてもよい。
（２）上記実施例では、他のコネクタ２０の電線１０が幹線１０Ｍに一巻きされているが、これに限らず、２周以上巻き付けても良い。
（３）上記実施例では、第１コネクタ２０Ｆの近傍で幹線１０Ｍが屈曲されているが、これに限らず、幹線を屈曲させなくてもよい。
（４）上記実施例では、本発明を、相手側コネクタとの嵌合方向と電線１０の延出方向とが略平行をなすコネクタ２０に適用した場合を説明したが、これに限らず、本発明は、相手側コネクタとの嵌合方向と電線の延出方向とが交差する（例えば相手側コネクタとの嵌合部が横を向いている）コネクタにも適用することができる。
（５）上記実施例では、第１コネクタ２０Ｆの２本の電線１０を一方向に延ばしているが、これに限らず、例えば２本の電線を互いに異なる方向に延ばし、各電線に他のコネクタの電線を巻き付けて保持するものとしてもよい。
（６）上記実施例では、コネクタ２０の電線１０は２本とされているが、これに限らず、コネクタの電線は１本のみまたは３本以上であってもよい。
（７）上記実施例では、複数のコネクタ２０が略同形状をなしているが、これに限らず、複数のコネクタは形状が異なるものであってもよい。
（８）上記実施例では、電線押さえ部品３０の後面対向部が後壁部３３とされているが、これに限らず、後面対向部は壁状ではなく、例えば複数の柱状部からなるものであってもよい。
（９）上記実施例では、複数のコネクタ２０が略均等な間隔で同一方向を向いて保持されるように配列した場合について説明したが、これに限らず、複数のコネクタの間隔および各コネクタの向きは適宜変更することができ、例えば、各コネクタを互い違いで異なる向きにしてもよいし、コネクタ間のピッチを異なるものとしてもよい。
【符号の説明】
【００３２】
Ｗ…ワイヤハーネス
１０…電線
１０Ｍ…幹線（一のコネクタの電線）
２０…コネクタ
２０Ｆ…第１コネクタ（一のコネクタ）
２０Ｓ…第２コネクタ（他のコネクタ）
２０Ｔ…第３コネクタ（他のコネクタ）
２３…後面
３０…電線押さえ部品
３３…後壁部（後面対向部）
【図１】
2016100933.tif 000003
【図２】
2016100933.tif 000004
【図３】
2016100933.tif 000005
【図４】
2016100933.tif 000006